(57)【要約】【課題】単純にバイパススイッチをオフからオンに切り換えると、切り換えの瞬間に電源出力端子１１からの出力電圧が急変する結果、出力電圧が適正範囲（１０１Ｖ±６Ｖ）を超過したり、系統擾乱を引き起こしたりする可能性がある。【解決手段】電源と電源出力端子の間に一次側が直列に接続された直列変圧器と、直列変圧器の二次側に接続され、直列変圧器を介して電源出力端子の出力電圧を調整する電圧調整部と、直列変圧器の一次側および二次側の少なくとも一方のそれぞれをバイパスするか否かを切り換え可能なバイパススイッチと、直列変圧器の一次側の電位差が基準電位差未満となる状態でバイパススイッチをオフからオンに切り換える制御部と、を備える調整装置が提供される。【選択図】図１
2018061384.tif 000002
【特許請求の範囲】
【請求項１】
電源と電源出力端子の間に一次側が直列に接続された直列変圧器と、
前記直列変圧器の二次側に接続され、前記直列変圧器を介して前記電源出力端子の出力電圧を調整する電圧調整部と、
前記直列変圧器の一次側および二次側の少なくとも一方のそれぞれをバイパスするか否かを切り換え可能なバイパススイッチと、
前記直列変圧器の一次側の電位差が基準電位差未満となる状態で前記バイパススイッチをオフからオンに切り換える制御部と、
を備える調整装置。
【請求項２】
前記制御部は、前記バイパススイッチをオフからオンに切り換える前に、前記電圧調整部により前記直列変圧器の一次側の電位差を前記基準電位差未満に低減する、請求項１に記載の調整装置。
【請求項３】
前記制御部は、前記電圧調整部により前記直列変圧器の一次側の電位差を前記基準電位差未満に漸減する、請求項２に記載の調整装置。
【請求項４】
前記電源は、交流電源であり、
前記制御部は、前記直列変圧器の一次側に印加される交流電圧が前記基準電位未満となるタイミングで、前記バイパススイッチをオフからオンに切り換える、請求項１に記載の調整装置。
【請求項５】
前記制御部は、前記直列変圧器の一次側の電位差が誤差を除き０Ｖとなる状態で、前記バイパススイッチをオフからオンに切り換える、請求項１〜４の何れか１項に記載の調整装置。
【請求項６】
前記直列変圧器の一次側の電位差を測定する測定部をさらに備える、請求項１〜５の何れか１項に記載の調整装置。
【請求項７】
前記制御部は、前記バイパススイッチがオフの状態において前記出力電圧が第１の目標電圧範囲内となったことに応じて、前記バイパススイッチをオンに切り換える請求項１〜６の何れか１項に記載の調整装置。
【請求項８】
前記制御部は、前記バイパススイッチがオンの状態において前記出力電圧が第２の目標電圧範囲外となったことに応じて、前記バイパススイッチをオフに切り換える請求項７に記載の調整装置。
【請求項９】
前記第１の目標電圧範囲は、前記第２の目標電圧範囲に含まれ、前記第２の目標電圧範囲よりも狭い請求項８に記載の調整装置。
【請求項１０】
前記電圧調整部は、
前記直列変圧器の二次側に流す電流を出力するインバータと、
前記インバータに電力を供給する電力供給部と、
を有する請求項１〜９のいずれか１項に記載の調整装置。
【請求項１１】
前記電源は、交流電源であり、
前記電力供給部は、前記電源からの交流電力を直流電力に変換して前記インバータに供給する請求項１０に記載の調整装置。
【請求項１２】
前記電力供給部は、前記電源とは異なる他の電源からの電力を前記インバータに供給する請求項１０に記載の調整装置。
【請求項１３】
前記電源は、高圧配電系統から低圧配電系統へと電圧を変換する変圧器である請求項１〜１２のいずれか１項に記載の調整装置。
【請求項１４】
電源と電源出力端子の間に一次側が直列に接続された直列変圧器の二次側に接続された電圧調整部により前記直列変圧器を介して前記電源出力端子の出力電圧を調整する電圧調整段階と、
前記直列変圧器の一次側および二次側の少なくとも一方のそれぞれをバイパスするか否かを切り換え可能なバイパススイッチを、前記直列変圧器の一次側の電位差が基準電位差未満となる状態でオフからオンに切り換える制御段階と、
を備える調整方法。
【発明の詳細な説明】
【技術分野】
【０００１】
本発明は、調整装置および調整方法に関する。
【背景技術】
【０００２】
従来、配電線から供給される電力を安定化する種々の技術が提案されている（例えば、特許文献１参照）。この技術では、柱上変圧器と、その二次側（負荷側）の出力端子との間に直列変圧器の一次側が直列に接続されており、直列変圧器の二次側には、出力端子の出力電圧を調整するための電圧調整器が接続されている。直列変圧器の一次側はバイパススイッチと並列に接続されており、バイパススイッチがオンのときにはバイパススイッチに電流が流れ、バイパススイッチがオフのときには直列変圧器の一次側に電流が流れる。
特許文献１  特開２００５−３４１６６８号公報
【発明の概要】
【発明が解決しようとする課題】
【０００３】
しかしながら、単純にバイパススイッチをオフからオンに切り換えると、切り換えの瞬間に電源出力端子１１からの出力電圧が急変する結果、出力電圧が適正範囲（１０１Ｖ±６Ｖ）を超過したり、系統擾乱を引き起こしたりする可能性がある。
【課題を解決するための手段】
【０００４】
本発明の第１の態様においては、電源と電源出力端子の間に一次側が直列に接続された直列変圧器と、直列変圧器の二次側に接続され、直列変圧器を介して電源出力端子の出力電圧を調整する電圧調整部と、直列変圧器の一次側および二次側の少なくとも一方のそれぞれをバイパスするか否かを切り換え可能なバイパススイッチと、直列変圧器の一次側の電位差が基準電位差未満となる状態でバイパススイッチをオフからオンに切り換える制御部と、を備える調整装置が提供される。
【０００５】
本発明の第２の態様においては、電源と電源出力端子の間に一次側が直列に接続された直列変圧器の二次側に接続された電圧調整部により直列変圧器を介して電源出力端子の出力電圧を調整する電圧調整段階と、直列変圧器の一次側および二次側の少なくとも一方のそれぞれをバイパスするか否かを切り換え可能なバイパススイッチを、直列変圧器の一次側の電位差が基準電位差未満となる状態でオフからオンに切り換える制御段階と、を備える調整方法が提供される。
【０００６】
上記の発明の概要は、本発明の特徴の全てを列挙したものではない。これらの特徴群のサブコンビネーションも発明となりうる。
【図面の簡単な説明】
【０００７】
【図１】本実施形態に係る調整装置を示す。
【図２】調整装置が停止モードの場合の状態を示す。
【図３】調整装置が電圧補償モードの場合の状態を示す。
【図４】調整装置が停止準備モードの場合の状態を示す。
【図５】調整装置の動作を示す。
【図６】本実施形態に係るコンピュータの構成の一例を示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る調整装置１を電源１０と共に示す。調整装置１は、電源１０に接続された複数の電源出力端子１１間の出力電圧を調整して電源出力端子１１（ａ），１１（ｂ），１１（ｎ）から出力するものである。調整装置１は、１または複数の直列変圧器１２と、電圧調整部１３と、１または複数のバイパススイッチ１４と、制御部１５と、を備える。調整装置１は、測定部１７を更に備えてもよい。
【００１０】
電源１０は、交流電源であってよく、本実施形態においては一例として、６６００Ｖ、６０Ｈｚ（または５０Ｈｚ）の高圧配電系統から約１００Ｖ、６０Ｈｚ（または５０Ｈｚ）の低圧配電系統へと電圧を変換して供給する変圧器（一例として柱状変圧器）である。電源１０は、ｕ相、ｖ相およびｏ相の３つの出力端子を有してよい。
【００１１】
複数の電源出力端子１１は、調整装置１による電圧調整後の電力を出力する。本実施形態では一例として、３つの電源出力端子１１（ａ），１１（ｂ），１１（ｎ）が単相交流電力を出力する。電圧線の出力端子としての電源出力端子１１（ａ）および１１（ｂ）の少なくとも一方と、中性線の出力端子としての電源出力端子１１（ｎ）との間の電圧が調整装置１により調整されてよい。電源出力端子１１（ａ），１１（ｂ），１１（ｎ）は、それぞれ低圧電線路１１０（ａ），１１０（ｂ），１１０（ｎ）を介して電源１０のｕ相、ｖ相およびｏ相の出力端子に接続されてよい。
【００１２】
１または複数の直列変圧器１２は、電源１０と電源出力端子１１の間の低圧電線路１１０に一次側、つまり一次コイルが直列に接続され、電圧調整部１３に二次側、つまり二次コイルが接続されている。直列変圧器１２の変圧比は、二次側に対して一次側が高くなるように構成されてよく、例えば一次側：二次側＝１０：１（または５：１）であってよい。本実施形態では一例として、２つの直列変圧器１２（ａ），１２（ｂ）が低圧電線路１１０（ａ），１１０（ｂ）に設けられているが、何れか一方のみが設けられてもよい。なお、直列変圧器１２（ａ）と、直列変圧器１２（ｂ）とでは、二次コイル同士が同じ向きで、一次コイル同士が反対向きとなっているが、各コイルは他の向きであってもよい。
【００１３】
電圧調整部１３は、各直列変圧器１２を介して電源出力端子１１の出力電圧を調整する。例えば、電圧調整部１３は、電源出力端子１１の出力電圧を基準範囲内（一例として１０１±６Ｖ）に収まるように調整してよい。電圧調整部１３は、インバータ１３０と、電力供給部１３１とを有してよい。
【００１４】
インバータ１３０は、各直列変圧器１２の二次側に流す電流を出力することで、電源出力端子１１間の出力電圧を調整する。例えばインバータ１３０は、単相インバータであってよい。インバータ１３０は、ｕ相およびｖ相の２つの出力端子を有し、これらｕ相およびｖ相の出力端子が直列変圧器１２（ａ），１２（ｂ）にそれぞれ接続されてよい。インバータ１３０は、後述の電力供給部１３１から直流電力を供給されてよい。インバータ１３０のスイッチング周波数は、一例として２０ｋＨｚであってよい。
【００１５】
電力供給部１３１は、インバータ１３０に電力を供給する。本実施形態では一例として、電力供給部１３１は、電源１０からの電力を受け、インバータ１３０へと電力を供給するが、電源１０とは異なる他の電源（一例として自家発電設備）から供給される電力をインバータ１３０に供給してもよい。電力供給部１３１は、コンバータ１３１１と、平滑コンデンサ１３１２とを有してよい。
【００１６】
コンバータ１３１１は、電源１０からの交流電力を直流電力に変換してインバータ１３０に供給する。コンバータ１３１１は、入力側（交流側）端子が直列変圧器１２よりも上流側で低圧電線路１１０（ａ），１１０（ｂ）に接続され、出力側（直流側）端子がインバータ１３０に接続されてよい。例えば、コンバータ１３１１は、約４００〜５００Ｖの直流電力をインバータ１３０に供給してよい。
【００１７】
平滑コンデンサ１３１２は、コンバータ１３１１の出力端子間に接続されており、コンバータ１３１１から出力される直流電力を平滑化する。
【００１８】
なお、電圧調整部１３は、低圧電線路１１０（ａ）または１１０（ｂ）とコンバータ１３１１とを結ぶ配線上、および、インバータ１３０におけるｕ相およびｖ相の出力端子と直列変圧器１２（ａ），１２（ｂ）とを結ぶ配線上の少なくとも一方に、電流平滑化のためのＬＣフィルタ回路を有してもよい。
【００１９】
１または複数のバイパススイッチ１４は、直列変圧器１２の二次側をバイパスするか否かを切り換え可能に接続されている。例えば、バイパススイッチ１４は、電圧調整部１３から直列変圧器１２までの配線に対し、対応する直列変圧器１２の二次コイルと並列に接続されてよい。本実施形態では一例として、１つのバイパススイッチ１４が２つの直列変圧器１２（ａ），１２（ｂ）の二次コイルと並列に接続され、これらの二次コイルをそれぞれ短絡可能となっている。このようにバイパススイッチ１４が二次側に設けられる場合には、スイッチ内に大電流が流れないため、一次側に設ける場合と比較して小型のバイパススイッチ１４を用いることができる。また、一次側にバイパススイッチ１４を設ける場合と異なり、瞬時停電などの非常時にも適切な給電経路が確保される。
【００２０】
なお、１または複数のバイパススイッチ１４は、機械式スイッチでもよいし、半導体スイッチでもよいし、これらの組み合わせであってもよい。機械式スイッチは半導体スイッチと異なり冷却不要であり、また、容易に標準状態をオンにすることができるため回路設計が容易である。半導体スイッチは機械式スイッチと比較して応答性がよいため、瞬時停電・インバータ暴走のときに即座にＯＮに切り換えることで直列変圧器１２等に対するサージを防止することができる。
【００２１】
制御部１５は、調整装置１における各部の制御を行う。例えば、制御部１５は、直列変圧器１２の一次側の電位差が基準電位差未満となる状態でバイパススイッチ１４をオフからオンに切り換える。ここで、基準電位差未満の電位差は一例として、測定および計算などの誤差を除いて０Ｖの電位差である。
【００２２】
測定部１７は、直列変圧器１２の一次側の電位差が基準電位差未満となる状態を直接的／間接的に検出するための測定を行う。例えば、測定部１７は、直列変圧器１２の一次側の電位差を測定してよい。一例として、測定部１７は、低圧電線路１１０（ａ）における直列変圧器１２（ａ）の一次コイルの両端に設けられた電圧センサ（図示せず）と、低圧電線路１１０（ｂ）における直列変圧器１２（ｂ）の一次コイルの前後に設けられた電圧センサ（図示せず）とを有し、これらの一次コイルにより各一次コイルの電位差を算出してよい。測定部１７は、電位差の測定結果を制御部１５に供給してよい。
【００２３】
なお、測定部１７は、直列変圧器１２よりも電源出力端子１１の側で測定された低圧電線路１１０（ａ），１１０（ｂ）の電圧値を制御部１５に供給してもよい。この場合、測定部１７は、低圧電線路１１０（ｎ）に設けられた電圧センサで測定された電圧値をさらに制御部１５に供給してもよい。
【００２４】
以上の調整装置１によれば、直列変圧器１２の一次側の電位差が基準電位差未満となる状態でバイパススイッチ１４をオフからオンに切り換えるので、切り換えの瞬間に電源出力端子１１からの出力電圧が急変するのを防止することができる。従って、出力電圧が適正範囲（１０１Ｖ±６Ｖ）を超過したり、系統擾乱が生じたりするのを防止することができる。また、切り換えの瞬間にインバータ１３０による出力電圧が突然バイパススイッチ１４に加わるのを防止することができるため、破損防止の観点でバイパススイッチ１４を大きくする必要が無い分、バイパススイッチ１４を小型化することができる。
【００２５】
続いて、調整装置１の運転モードについて説明する。調整装置１は、制御部１５によって停止モード、電圧補償モードおよび停止準備モードの何れかに設定されてよい。これらの運転モードについて、順に詳細を説明する。
【００２６】
図２は、調整装置１が停止モードの場合の状態を示す。停止モードは、電源出力端子１１間の出力電圧を調整しないモードである。
【００２７】
停止モードにおいては、制御部１５は、バイパススイッチ１４をオンに維持する。これにより、直列変圧器１２の二次側が短絡されて電源１０からの電流がほぼ損失なく直列変圧器１２の一次側を流れる。また、インバータのｕ相およびｖ相の出力端子間が短絡されるため、電圧調整部１３が連系されない。そのため、電源１０のｕ相およびｏ相の出力端子の間、および、ｖ相およびｏ相の出力端子の間の電圧（Ｖｓ＿ｕｏ，Ｖｓ＿ｖｏ）がそのまま電源出力端子１１の間の電圧（Ｖｌ＿ｕｏ，Ｖｌ＿ｖｏ）となる。
【００２８】
また、制御部１５は電圧調整部１３をディセーブルする。例えば、制御部１５は、インバータ１３０およびコンバータ１３１１に加えられる制御指令のパルス信号をオフにしてよい。これにより、これらの変換部で発生する損失が低減され、低圧配電系統に対し高効率で電力を供給することができる。また調整装置１が長寿命化される。なお、コンバータ１３１１はディセーブルされなくてもよい。
【００２９】
図３は、調整装置１が電圧補償モードの場合の状態を示す。電圧補償モードは、出力電圧を調整するモードである。
【００３０】
電圧補償モードにおいては、制御部１５は、バイパススイッチ１４をオフに維持して電圧調整部１３を連系するとともに、基準範囲外の出力電圧を基準範囲内にするべく、電圧調整部１３から各直列変圧器１２へと出力する二次電流を出力電圧に応じて制御する。
【００３１】
例えば、制御部１５は、測定部１７により測定された、各電源出力端子１１の電圧を電圧実効値および電圧位相に変換する。また、制御部１５は、内部に保持された目標電圧（一例として基準範囲（１０１±６Ｖ）の上下限値であってもよいし、１０１Ｖであってもよい）と、測定電圧の実効値とから、調整すべき電圧偏差（ＶΔ）を計算する。制御部１５は、直列変圧器１２の一次側電圧が電圧偏差相当の電圧となるように電圧調整部１３（一例としてインバータ１３０およびコンバータ１３１１）を制御する。例えば、直列変圧器１２の変圧比が一次側：二次側＝α：１であれば、制御部１５は、インバータ１３０の出力電圧（Ｖｉｎｖ）が電圧偏差／αとなるようにインバータ１３０およびコンバータ１３１１に制御指令を与える。なお、制御部１５は、直列変圧器１２により低圧電線路１１０（ａ）に加えられる電圧を、低圧電線路１１０（ａ），１１０（ｎ）の間の電圧位相と同位相にしてよい。制御部１５は、直列変圧器１２により低圧電線路１１０（ｂ）に加えられる電圧を、１８０°反転した位相にしてよい。
【００３２】
これにより、直列変圧器１２の一次側に電圧偏差（ＶΔ）の電圧が発生される。その結果、電源１０のｕ相およびｏ相の出力端子の間、および、ｖ相およびｏ相の出力端子の間の電圧（Ｖｓ＿ｕｏ，Ｖｓ＿ｖｏ）に対して電圧偏差（ＶΔ）の電圧が加えられ、電源出力端子１１の間の電圧が大きく／小さくなる。
【００３３】
図４は、調整装置１が停止準備モードの場合の状態を示す。停止準備モードは、電圧補償モードから停止モードへの移行準備を行うモードである。停止準備モードでは、バイパススイッチ１４をオフからオンに切り換える前に、直列変圧器１２の一次側の電位差が基準電位差未満となる状態を生じさせる。
【００３４】
例えば、制御部１５は、電圧補償モードから引き続きバイパススイッチ１４をオフに維持して電圧調整部１３を連系する。また、制御部１５は、直列変圧器１２の一次側の電位差についての測定部１７による測定結果に基づき、電圧調整部１３により当該一次側の電位差を基準電位差未満に低減する。
【００３５】
これにより、電源出力端子１１からの出力電圧は、後にバイパススイッチ１４がオンになった場合の出力電圧と概ね等しくなる。そのため、バイパススイッチ１４の切り換えの瞬間に電源出力端子１１からの出力電圧が急変するのが防止され、ひいては、出力電圧が適正範囲（１０１Ｖ±６Ｖ）を超過したり、系統擾乱が生じたりするのが防止される。
【００３６】
また、直列変圧器１２の二次側に印加される電圧は、後にバイパススイッチ１４がオンになった場合の電圧と概ね等しくなる。これにより、切り換えの瞬間にインバータ１３０による出力電圧が突然バイパススイッチ１４に加わるのが防止されるため、バイパススイッチ１４を小型化することができる。
【００３７】
図５は、調整装置１の動作を示す。調整装置１が運転を開始すると、制御部１５は調整装置１を停止モードに設定する（ステップＳ１１）。例えば、制御部１５は、バイパススイッチ１４をオンにするとともに、インバータ１３０およびコンバータ１３１１をディセーブルする。
【００３８】
次に、制御部１５は、測定部１７による測定結果に基づいて、電源出力端子１１間の出力電圧が第２の目標電圧範囲外であるか否かを判定する（ステップＳ１３）。例えば、制御部１５は、測定部１７により測定される、低圧電線路１１０（ａ），１１０（ｎ）の間の電圧の実効値と、低圧電線路１１０（ｂ），１１０（ｎ）の間の電圧の実効値とが第２の目標電圧範囲外であるか否かを監視してよい。ここで、第２の目標電圧範囲は、基準範囲（一例として１０１±６Ｖ）の範囲内でよく、本実施形態では一例として基準範囲と同範囲である。
【００３９】
ステップＳ１３において出力電圧が第２の目標電圧範囲内であると判定された場合（Ｓ１３；Ｎｏ）には、制御部１５はＳ１３に処理を戻し、停止モードを維持する。
【００４０】
ステップＳ１３において出力電圧が第２の目標電圧範囲外であると判定された場合（Ｓ１３；Ｙｅｓ）には、制御部１５は調整装置１を電圧補償モードに移行させる（ステップＳ１５）。なお、このステップＳ１５の処理は、電圧調整段階の一例である。
【００４１】
例えば、制御部１５は、バイパススイッチ１４をオンからオフに切り換えて電圧調整部１３を連系する。これにより、バイパススイッチ１４がオンの状態において出力電圧が第２の目標電圧範囲外となったことに応じて、バイパススイッチ１４がオフに切り換えられる。
【００４２】
また、制御部１５は、電圧調整部１３から各直列変圧器１２へと出力する二次電流を出力電圧に応じて制御することで、直列変圧器１２の一次側の電圧を調整する。本実施形態では一例として、制御部１５は、第２の目標電圧範囲（基準範囲）外の出力電圧を第１の目標電圧範囲内にするべく直列変圧器１２の一次側の電圧を調整する。ここで、第１の目標電圧範囲は、基準範囲の範囲内でよく、例えば第２の目標電圧範囲に含まれる第２の目標電圧範囲よりも狭い範囲（一例として１０１±４Ｖ）である。
【００４３】
なお、制御部１５は、出力電圧が許容電圧範囲内（一例として第２の目標電圧範囲と同範囲）になったことに応じて電圧調整部１３をディセーブルし、出力電圧が成り行きで第１の目標電圧範囲に収まるのを待機してもよい。
【００４４】
次に、制御部１５は、測定部１７による測定結果に基づいて、電源出力端子１１間の出力電圧が第１の目標電圧範囲内となったか否かを判定する（ステップＳ１７）。
【００４５】
ステップＳ１７において出力電圧が第１の目標電圧範囲外であると判定された場合（Ｓ１７；Ｎｏ）には、制御部１５はステップＳ１５に処理を戻し、電圧補償モードを維持する。
【００４６】
ステップＳ１７において出力電圧が第１の目標電圧範囲内となったと判定された場合（Ｓ１７；Ｙｅｓ）には、制御部１５は調整装置１を停止準備モードに移行させる（ステップＳ１９）。例えば、制御部１５は、引き続きバイパススイッチ１４をオフに維持して電圧調整部１３を連系した状態で、直列変圧器１２の一次側の電位差についての測定部１７による測定結果に基づき、電圧調整部１３により当該一次側の電位差を基準電位差未満に低減する。一例として、制御部１５は、直列変圧器１２の一次側の電位差が誤差を除き０Ｖとなるよう、インバータ１３０からの出力電圧を概ね０Ｖに制御してよい。また、制御部１５は、電圧調整部１３により一次側の電位差を基準電位差未満に漸減してよい。
【００４７】
次に、制御部１５は、測定部１７による測定結果に基づいて、各直列変圧器１２の一次側の電位差が基準電位差未満となったか否かを判定する（ステップＳ２１）。例えば、制御部１５は、電位差が概ね０Ｖになったかを判定してよい。
【００４８】
ステップＳ２１において電位差が基準電位差未満になっていないと判定された場合（ステップＳ２１；Ｎｏ）には、制御部１５はステップＳ１９に処理を戻し、停止準備モードを維持する。
【００４９】
ステップＳ２１において電位差が基準電位差未満になったと判定された場合（ステップＳ２１；Ｙｅｓ）には、制御部１５は、バイパススイッチ１４をオフからオンに切り換えて電圧調整部１３を連系解除した後（ステップＳ２３）、ステップＳ１１に処理を戻す。これにより、バイパススイッチ１４がオフの状態において出力電圧が第１の目標電圧範囲内となったこと（ステップＳ１７；Ｙｅｓ）に応じて、バイパススイッチ１４がオンに切り換えられる。なお、以上のステップＳ２３の処理は、制御段階の一例である。
【００５０】
以上の動作において、調整装置１は、運転の終了指令を受けた場合に動作を終了してよい。
【００５１】
なお、以上の実施形態においては、１または複数のバイパススイッチ１４が直列変圧器１２の二次側をバイパスするか否か切り換え可能に設けられることとして説明したが、直列変圧器１２の一次側および二次側の少なくとも一方のそれぞれをバイパスするか否かを切り換え可能に接続されてよい。例えば、バイパススイッチ１４が一次側を切り換え可能に接続される場合には、電源１０と電源出力端子１１の間の低圧電線路１１０に対し、対応する直列変圧器１２の一次コイルと並列に接続されてよい。バイパススイッチ１４を一次側に設ける場合には、二次側に設ける場合と異なり、オンのときに直列変圧器１２内を電流が流れないため、その分のロスを低減することができる。
【００５２】
また、測定部１７が直列変圧器１２の一次側の電位差を測定することで一次側の電位差が基準電位差未満となる状態の検知を行うこととして説明したが、二次側の電位差を測定し、二次側の電位差が他の基準電位差未満になる状態を検知することで、一次側の電位差が基準電位差未満となる状態の検知を行ってもよい。また、測定部１７は、一次側または二次側の電流値を電流センサによって測定し、電流値が基準電流値未満となる状態を検知することで、一次側の電位差が基準電位差未満となる状態の検知を行ってもよい。
【００５３】
また、制御部１５が電圧調整部１３により一次側の電位差を基準電位差未満に低減してバイパススイッチ１４をオフからオンに切り換えることとして説明したが、直列変圧器１２の一次側に印加される交流電圧が基準電位未満となるタイミング（一例としてゼロクロスのタイミング）で、バイパススイッチ１４をオフからオンに切り換えてもよい。例えば、制御部１５は、直列変圧器１２の一次側に印加される交流電圧の周期および位相を測定部１７の測定結果から検出し、交流電圧が基準電位差未満となるタイミングでバイパススイッチ１４がオンになるように、切換タイミングを制御してよい。このような制御を行う場合には、応答性に優れた半導体スイッチをバイパススイッチ１４として用いることが好ましい。
【００５４】
また、インバータ１３０がｕ相，ｖ相の出力端子を有し、直列変圧器１２（ａ），１２（ｂ）がそれぞれインバータ１３０のｕ相，ｖ相の出力端子に接続されることとして説明したが、インバータ１３０がｕ相、ｖ相およびｏ相の３つの出力端子を有し、ｕ相およびｏ相の出力端子が直列変圧器１２（ａ）に接続され、ｖ相およびｏ相の出力端子が直列変圧器１２（ｂ）に接続されもてよい。この場合には、電圧調整部１３によって電源出力端子１１（ａ），１１（ｂ）の出力電圧を独立に調整することができる。
【００５５】
なお、本発明の様々な実施形態は、フローチャートおよびブロック図を参照して記載されてよく、ここにおいてブロックは、（１）操作が実行されるプロセスの段階または（２）操作を実行する役割を持つ装置のセクションを表わしてよい。特定の段階およびセクションが、専用回路、コンピュータ可読媒体上に格納されるコンピュータ可読命令と共に供給されるプログラマブル回路、および／またはコンピュータ可読媒体上に格納されるコンピュータ可読命令と共に供給されるプロセッサによって実装されてよい。専用回路は、デジタルおよび／またはアナログハードウェア回路を含んでよく、集積回路（ＩＣ）および／またはディスクリート回路を含んでよい。プログラマブル回路は、論理ＡＮＤ、論理ＯＲ、論理ＸＯＲ、論理ＮＡＮＤ、論理ＮＯＲ、および他の論理操作、フリップフロップ、レジスタ、フィールドプログラマブルゲートアレイ（ＦＰＧＡ）、プログラマブルロジックアレイ（ＰＬＡ）等のようなメモリ要素等を含む、再構成可能なハードウェア回路を含んでよい。
【００５６】
コンピュータ可読媒体は、適切なデバイスによって実行される命令を格納可能な任意の有形なデバイスを含んでよく、その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００５７】
コンピュータ可読命令は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、および「Ｃ」プログラミング言語または同様のプログラミング言語のような従来の手続型プログラミング言語を含む、１または複数のプログラミング言語の任意の組み合わせで記述されたソースコードまたはオブジェクトコードのいずれかを含んでよい。
【００５８】
コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供され、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００５９】
図６は、本発明の複数の態様が全体的または部分的に具現化されてよいコンピュータ２２００の例を示す。コンピュータ２２００にインストールされたプログラムは、コンピュータ２２００に、本発明の実施形態に係る装置に関連付けられる操作または当該装置の１または複数のセクションとして機能させることができ、または当該操作または当該１または複数のセクションを実行させることができ、および／またはコンピュータ２２００に、本発明の実施形態に係るプロセスまたは当該プロセスの段階を実行させることができる。そのようなプログラムは、コンピュータ２２００に、本明細書に記載のフローチャートおよびブロック図のブロックのうちのいくつかまたはすべてに関連付けられた特定の操作を実行させるべく、ＣＰＵ２２１２によって実行されてよい。
【００６０】
本実施形態によるコンピュータ２２００は、ＣＰＵ２２１２、ＲＡＭ２２１４、グラフィックコントローラ２２１６、およびディスプレイデバイス２２１８を含み、それらはホストコントローラ２２１０によって相互に接続されている。コンピュータ２２００はまた、通信インタフェース２２２２、ハードディスクドライブ２２２４、ＤＶＤ−ＲＯＭドライブ２２２６、およびＩＣカードドライブのような入／出力ユニットを含み、それらは入／出力コントローラ２２２０を介してホストコントローラ２２１０に接続されている。コンピュータはまた、ＲＯＭ２２３０およびキーボード２２４２のようなレガシの入／出力ユニットを含み、それらは入／出力チップ２２４０を介して入／出力コントローラ２２２０に接続されている。
【００６１】
ＣＰＵ２２１２は、ＲＯＭ２２３０およびＲＡＭ２２１４内に格納されたプログラムに従い動作し、それにより各ユニットを制御する。グラフィックコントローラ２２１６は、ＲＡＭ２２１４内に提供されるフレームバッファ等またはそれ自体の中にＣＰＵ２２１２によって生成されたイメージデータを取得し、イメージデータがディスプレイデバイス２２１８上に表示されるようにする。
【００６２】
通信インタフェース２２２２は、ネットワークを介して他の電子デバイスと通信する。ハードディスクドライブ２２２４は、コンピュータ２２００内のＣＰＵ２２１２によって使用されるプログラムおよびデータを格納する。例えば、測定部１７により取得された、各電源出力端子１１の電圧及び直列変圧器１２の一次側又は二次側電圧、それらの格納されたデータから出力電圧が目標電圧範囲内か否かの判断処理、目標電圧範囲との偏差からインバータ１３０への指令の算出処理を行うためのプログラムがハードディスクドライブ２２２４に格納される。ＤＶＤ−ＲＯＭドライブ２２２６は、プログラムまたはデータをＤＶＤ−ＲＯＭ２２０１から読み取り、ハードディスクドライブ２２２４にＲＡＭ２２１４を介してプログラムまたはデータを提供する。例えば、C言語のようにアーキテクチャに依存するプログラムであった場合、ＲＡＭ２２１４を介することで、ＪＡＶＡ（登録商標）等のアーキテクチャに比較的依存しないプログラムで処理でき、汎用性を得ることができる。ＩＣカードドライブは、プログラムおよびデータをＩＣカードから読み取り、および／またはプログラムおよびデータをＩＣカードに書き込む。なお、上記例えに発明は縛られないとする。
【００６３】
ＲＯＭ２２３０はその中に、アクティブ化時にコンピュータ２２００によって実行されるブートプログラム等、および／またはコンピュータ２２００のハードウェアに依存するプログラムを格納する。入／出力チップ２２４０はまた、様々な入／出力ユニットをパラレルポート、シリアルポート、キーボードポート、マウスポート等を介して、入／出力コントローラ２２２０に接続してよい。
【００６４】
プログラムが、ＤＶＤ−ＲＯＭ２２０１またはＩＣカードのようなコンピュータ可読媒体によって提供される。プログラムは、コンピュータ可読媒体から読み取られ、コンピュータ可読媒体の例でもあるハードディスクドライブ２２２４、ＲＡＭ２２１４、またはＲＯＭ２２３０にインストールされ、ＣＰＵ２２１２によって実行される。これらのプログラム内に記述される情報処理は、コンピュータ２２００に読み取られ、プログラムと、上記様々なタイプのハードウェアリソースとの間の連携をもたらす。装置または方法が、コンピュータ２２００の使用に従い情報の操作または処理を実現することによって構成されてよい。
【００６５】
例えば、通信がコンピュータ２２００および外部デバイス間で実行される場合、ＣＰＵ２２１２は、ＲＡＭ２２１４にロードされた通信プログラムを実行し、通信プログラムに記述された処理に基づいて、通信インタフェース２２２２に対し、通信処理を命令してよい。通信インタフェース２２２２は、ＣＰＵ２２１２の制御下、ＲＡＭ２２１４、ハードディスクドライブ２２２４、ＤＶＤ−ＲＯＭ２２０１、またはＩＣカードのような記録媒体内に提供される送信バッファ処理領域に格納された送信データを読み取り、読み取られた送信データをネットワークに送信し、またはネットワークから受信された受信データを記録媒体上に提供される受信バッファ処理領域等に書き込む。
【００６６】
また、ＣＰＵ２２１２は、ハードディスクドライブ２２２４、ＤＶＤ−ＲＯＭドライブ２２２６（ＤＶＤ−ＲＯＭ２２０１）、ＩＣカード等のような外部記録媒体に格納されたファイルまたはデータベースの全部または必要な部分がＲＡＭ２２１４に読み取られるようにし、ＲＡＭ２２１４上のデータに対し様々なタイプの処理を実行してよい。ＣＰＵ２２１２は次に、処理されたデータを外部記録媒体にライトバックする。
【００６７】
様々なタイプのプログラム、データ、テーブル、およびデータベースのような様々なタイプの情報が記録媒体に格納され、情報処理を受けてよい。ＣＰＵ２２１２は、ＲＡＭ２２１４から読み取られたデータに対し、本開示の随所に記載され、プログラムの命令シーケンスによって指定される様々なタイプの操作、情報処理、条件判断、条件分岐、無条件分岐、情報の検索／置換等を含む、様々なタイプの処理を実行してよく、結果をＲＡＭ２２１４に対しライトバックする。また、ＣＰＵ２２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ２２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【００６８】
上で説明したプログラムまたはソフトウェアモジュールは、コンピュータ２２００上またはコンピュータ２２００近傍のコンピュータ可読媒体に格納されてよい。また、専用通信ネットワークまたはインターネットに接続されたサーバーシステム内に提供されるハードディスクまたはＲＡＭのような記録媒体が、コンピュータ可読媒体として使用可能であり、それによりプログラムを、ネットワークを介してコンピュータ２２００に提供する。
【００６９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７１】
１  調整装置、１０  電源、１１  電源出力端子、１２  直列変圧器、１３  電圧調整部、１４  バイパススイッチ、１５  制御部、１７  測定部、１１０  低圧電線路、１３０  インバータ、１３１  電力供給部、１３１１  コンバータ、１３１２  平滑コンデンサ、２２００  コンピュータ、２２０１  ＤＶＤ−ＲＯＭ、２２１０  ホストコントローラ、２２１２  ＣＰＵ、２２１４  ＲＡＭ、２２１６  グラフィックコントローラ、２２１８  ディスプレイデバイス、２２２０  入／出力コントローラ、２２２２  通信インタフェース、２２２４  ハードディスクドライブ、２２２６  ＤＶＤ−ＲＯＭドライブ、２２３０  ＲＯＭ、２２４０  入／出力チップ、２２４２  キーボード
【図１】
2018061384.tif 000003
【図２】
2018061384.tif 000004
【図３】
2018061384.tif 000005
【図４】
2018061384.tif 000006
【図５】
2018061384.tif 000007
【図６】
2018061384.tif 000008